(57)【要約】      （修正有）【課題】骨伝導方式の利点を確実に発揮して、人体の可動状態でも安定して音声信号を聴取できる口腔内骨伝導装置を提供する。【解決手段】搬送波を音声信号で変調した被変調波を送信する送信部１と、送信部１から送信される被変調波を受信して音声信号を復調して出力する受信部２とに分離して構成される。受信部２は、骨伝導スピーカ及び復調部が一体化された受信チップＣＨと、受信チップＣＨを覆うプラスチック材とで構成されて、人間の歯牙に装着されて使用される。プラスチック材は、加温状態で可塑性を有する一方、常温下では固化する特性を有し、受信チップＣＨを埋設させた状態で、歯牙の装着部の形状に対応する形状で固化されている。【選択図】図１
0003166964.tif 000002
【実用新案登録請求の範囲】
【請求項１】
搬送波を音声信号で変調した被変調波を送信する送信部と、送信部から送信される被変調波を受信して音声信号を復調して出力する受信部と、に分離構成され、
前記受信部は、骨伝導スピーカ及び復調部が一体化された受信チップと、受信チップを覆うプラスチック材とを有して、人間の歯牙に装着されるよう構成され、
前記プラスチック材は、加温状態で粘性を有する一方、常温下では固化する特性を有し、受信チップを埋設させた状態で、歯牙の装着部の形状に対応する形状で固化されていることを特徴とする口腔内骨伝導装置。
【請求項２】
前記受信部は、左側部位と右側部位とに区分され、左右の部位は、各々、骨伝導スピーカと復調部とを内蔵して、使用者の左右の奥歯に近接して装着される請求項１に記載の口腔内骨伝導装置。
【請求項３】
前記音声信号は、音楽を再生するステレオ信号、又は、送信部で人工的に合成されたモノラル信号である請求項１又は２に記載の口腔内骨伝導装置。
【請求項４】
送信部は、圧縮化された音声ファイルから音声信号を再生するデコード機能、及び／又は、テキストファイルの文字情報から音声信号を再生する音声変換機能を有している請求項１〜３の何れかに記載の口腔内骨伝導装置。
【請求項５】
前記送信部は、他の電子機器との通話を実現する電話機能、及び／又は、他の電子機器からのメール受信を実現するメール機能を有している請求項１〜４の何れかに記載の口腔内骨伝導装置。
【請求項６】
前記受信チップは、被変調波を整流して得られる直流電圧を電源電圧として動作している請求項１に記載の口腔内骨伝導装置。
【請求項７】
前記受信チップは、二次電池の直流電圧を電源電圧として動作しており、前記二次電池は非接触状態で充電可能に構成されている請求項１に記載の口腔内骨伝導装置。
【請求項８】
２．４５ＧＨｚ帯の搬送波が送信される請求項１〜７の何れかに記載の口腔内骨伝導装置。
【請求項９】
Bluetooth（登録商標）規格に一部準拠して送受信動作を実現している請求項１〜７の何れかに記載の口腔内骨伝導装置。
【考案の詳細な説明】
【技術分野】
【０００１】
本考案は、人間の聴覚を司る蝸牛管に近接して骨伝導スピーカを装着する口腔内骨伝導装置に関し、好適には、携帯音楽プレイヤーや携帯電話機のスピーカとして、左右の奥歯付近に装着して使用される。
【背景技術】
【０００２】
通勤や通学の途中でも音楽を楽しむため、若者を中心として、携帯音楽プレイヤーが広く普及している。音楽プレイヤーとしては、ｉＰｏｄ（登録商標）などの専用プレイヤーと、携帯電話機などに内蔵される内蔵プレイヤーとに大別されるが、何れも、ＭＰ３（MPEG Audio Layer-3）などに圧縮された音楽データを、デコーダ（decoder）で再生して、イヤホンやヘッドホンから空気振動たる音波を出力する構成を採っている。そして、イヤホンやヘッドホンから出力された音波は、外耳道を経由して鼓膜を振動させ、その振動が鼓膜臍部に付着しているツチ骨に伝送され、耳小骨連鎖を経て、前庭窓から内耳に伝送される。
【０００３】
しかし、このような音楽プレイヤーでは、イヤホンやヘッドホンによって、両耳が塞がれてしまうので、外界の音が遮断されてしまい、特に、自動車の運転時などは危険を伴うという問題があった。また、難聴や弱聴などの聴力障害者には使用できないという問題もあった。
【０００４】
そこで、かかる問題を考慮して、骨伝導式のスピーカも提案されている（例えば、特許文献１）。これは、耳の後部に骨伝導スピーカを接触させて、鼓膜を経由することなく、骨を通して音声信号を蝸牛管に伝送させようとするものである。このような構成を採ると、空気振動を介在させないので、空気振動への変換時や、空気振動の伝送時のエネルギー損失が少なく低電力化を実現することができる。
【先行技術文献】
【特許文献】
【０００５】
【特許文献１】特許第３３５８０８６号公報
【考案の概要】
【考案が解決しようとする課題】
【０００６】
しかしながら、このような骨伝導方式を採ったとしても、耳の後部にスピーカを安定して保持する必要があるので、たとえ軽度なランニング中であっても、スピーカがずれて音楽を楽しめないという問題がある。また、本格的な運動中や、その他、人体が可動している作業状態では、全く使用できないという問題がある。
【０００７】
本考案は、上記の問題点に鑑みてなされたものであって、骨伝導方式の利点を確実に発揮して、人体の可動状態でも安定して音声信号を聴取できる口腔内骨伝導装置を提供することを目的とする。
【課題を解決するための手段】
【０００８】
上記の目的を達成するため、本考案に係る口腔内骨伝導装置は、搬送波を音声信号で変調した被変調波を送信する送信部と、送信部から送信される被変調波を受信して音声信号を復調して出力する受信部と、に分離構成され、前記受信部は、骨伝導スピーカ及び復調部が一体化された受信チップと、受信チップを覆うプラスチック材とを有して、人間の歯牙に装着されるよう構成され、前記プラスチック材は、加温状態で粘性を有する一方、常温下では固化する特性を有し、受信チップを埋設させた状態で、歯牙の装着部の形状に対応する形状で固化されている。
【０００９】
本考案の受信部は、人間の歯牙に装着されるので、骨伝導スピーカからの音声は、直接、歯槽骨（顎骨の骨体部と歯牙を結ぶ骨）に伝送され、ほとんど減衰することなく蝸牛管に伝えることができる。したがって、クリアで繊細な音を低電力で楽しむことができる。
【００１０】
加温状態で可塑性（適度な粘性）を有する一方、常温下では固化するプラスチックとしては、好ましくは、温水の中で可塑性を有するハイドロプラスチップが使用される。なお、ハイドロプラスチップとは、水が加わったことにより可塑性となる物質を意味し、歯科医師などによって好適に活用されている。
【００１１】
なお、口腔内での硬度が不足する場合には、ハイドロプラスチックの外側が、適宜な強度の補強材で補強される。補強材は、特に限定されないが、例えば、歯科医師が使用するバイトリム（Bite Rim）が使用される。なお、バイトリムとは、咬合床の構成要素となるパラフィンワックス（蝋材）を意味する。
【００１２】
搬送波の周波数や被変調波の送信電力は、特に限定されないが、電波法上の制約を受けない周波数や送信電力が好適に使用される。具体的には、短距離無線通信として定着しつつあるBluetooth（登録商標）規格に準拠した構成を採るのが好ましい。この場合、２．４５ＧＨｚ帯の電波を使用するが、伝播距離を１０ｍ未満に抑制した送信電力であれば、電波法上の制約を受けることなく自由に使用することができる。また、Bluetoothの普及に対応して、小型のＩＣチップも市販されている点でも本考案を実現する上で効果的である。
【００１３】
変調方式は、振幅変調ＡＭ（Amplitude Modulation）、周波数変調ＦＭ（Frequency Modulation）、位相変調ＰＭ（Phase Modulation）などのアナログ変調方式や、パルス符号変調ＰＣＭ（Pulse-code modulation）、パルス幅変調ＰＷＭ（Pulse-width modulation）、パルス振幅変調ＰＡＭ（Pulse-amplitude modulation）、パルス位置変調ＰＰＭ（Pulse-position modulation）、パルス密度変調ＰＤＭ（Pulse-density modulation）などのパルス変調方式であっても良いが、簡易性と通信品質とを考慮すると、好ましくは、デジタル変調方式を採るべきである。
【００１４】
デジタル変調方式では、デジタル信号で搬送波を変調するが、搬送波の位相を変化させる位相偏移変調ＰＳＫ（Phase Shift Keying）や、周波数を変化させる周波数偏移変調ＦＳＫ（Frequency Shift Keying）や、振幅偏移変調ＡＳＫ（Amplitude Shift Keying）や、直角位相振幅変調ＱＡＭ（quadrature amplitude modulation）を例示することができる。このうち、周波数偏移変調方式が最も好ましい。
【００１５】
なお、実施例で使用したBluetoothでは、主としてセキュリティ上の観点から、ガウス周波数偏移変調方式ＧＦＳＫ（Gaussian Frequency Shift Keying）を使用している。
【００１６】
本考案の受信部は、人間の歯牙に装着されて使用されるが、蝸牛管に近い奥歯付近に装着するのが好ましい。このような装着箇所とすることで、繊細な音声を確実に伝送できるだけでなく、骨伝導スピーカの出力を抑えて消費電力を抑制することができる。受信部を低電力化することは、その電源回路を電池で構成するか否かに拘らず極めて重要である。
【００１７】
何れにしても、受信部は、使用者の上歯に装着しても良いし、下歯に装着しても良い。上歯か下歯かの装着態様に拘らず、骨伝導スピーカからの音声は、歯槽骨を経由して減衰することなく蝸牛管に伝送される。なお、受信部は、単一体として構成しても良いが、好ましくは、左側部位と右側部位とに区分すべきである。この場合、左右の部位に、各々、骨伝導スピーカと復調部とを内蔵させるのが好ましく、このような構成と採ると、ステレオ音を蝸牛に伝えることができる。
【００１８】
左右の部位は、ワイヤ状又はマウスピース状の連結部材で連結しても良いし、左右の部位を分離状態としても良い。左右の部位を分離状態とする場合でも、本考案の受信部は、左右の歯に確実に装着されるので、激しい運動時にもずれることはない。なお、左右の部位を連結する場合には、その連結部材は、上側又は下側の歯列に沿って配置される。
【００１９】
骨伝導スピーカから出力される音声信号は、典型的には、音楽を再生するステレオ信号である。この場合には、送信部は、圧縮化された音声ファイルから音声信号を再生するデコード機能を有しているのが好適である。このような機能は、一般の携帯音楽プレイヤーや携帯電話機に標準装備されているので、その機能を利用するのは容易である。
【００２０】
もっとも、骨伝導スピーカから出力される音声信号は、必ずしも、ステレオ信号に限定されず、例えば、送信部に音声合成回路を設けることで、人工的に合成されたモノラル信号を骨伝導スピーカから出力することもできる。ここで、音声合成回路とは、テキストファイルの文章を、適宜に切り分けて文字列を抽出し、抽出された文字列に対応する一群の音声信号を出力する回路である。すなわち、本考案の送信部は、テキストファイルの文字情報から音声信号を再生する音声変換機能を有しているのも好適である。
【００２１】
テキストファイルは、特に、限定されないが、例えば、メーラー（mailer）が受信した受信文がこれに該当する。この場合には、送信部のメーラー（メールソフト）が受信した受信文を変換した音声信号が、受信部の骨伝導スピーカを経由して蝸牛に伝えられる。このような実施形態を採る場合には、自動車運転中でも、特別の手動操作を要することなく、外部からの用件を聞くことができ、特に、緊急時の連絡を受けた場合に好適である。
【００２２】
なお、建築現場その他の作業現場の作業員が、その歯牙に本考案の受信部を装着している場合には、如何に激しい作業中であっても、受信部が適所に保持されるので、本考案の送信部を経由して、作業上の指示を確実に伝送することもできる。なお、ターミナル駅のホーム駅員や、コンサート会場の警備員など、激しい騒音下にさらされる場合でも、本考案によれば、業務上の指示を聞き漏らすおそれはない。
【００２３】
更に、本考案の装置は、例えば、戦闘中の兵士にも好適に使用可能であり、この場合には、送信部に暗号解読用のデコーダを設けることで、上官からの指示が敵に傍受されることなく兵士に伝達される。また、爆裂音などの異常レベルの騒音下でも確実に上官の指示を把握することができる。
【００２４】
上記の機能を発揮するためには、本考案の送信部は、他の電子機器との通話を実現する電話機能、及び／又は、他の電子機器からのメール受信するメール機能を有しているのが好適である。
【００２５】
また、本考案の送信部を、国際会議などの出席者に配信される同時通訳音を受けるよう構成することで、骨伝導スピーカを経由して同時通訳音を聴くことができる。この場合、両耳が開放された状態で、一方の受信部から講演者の生声を聴きつつ、他方の受信部から、その同時通訳音を聴くことができ極めて効果的である。
【００２６】
上記何れの構成を採る場合にも、受信部を機能させるためには、直流電圧たる電源電圧が不可欠となる。そこで、電池を利用しても良いが、電池交換を要する点では不適であり、最も好適には、本考案の受信部を構成する受信チップは、被変調波を整流して得られる直流電圧を電源電圧とするべきである。
【００２７】
変調方式として周波数偏移変調方式を採用する場合には、被変調波に重畳される情報（データ）に拘らず、被変調波の振幅が一定であるので、これを整流することで安定な直流電圧を生成することができる。
【００２８】
一方、上記の構成に代えて、二次電池を電源電圧として、受信チップを動作させるのも好適である。ここで、二次電池とは、再充電可能な電池を意味し、繰り返し使用できる利点がある。但し、充電用の電源端子を露出させることは不適であり、非接触状態で充電可能に構成されるべきである。このような構成を採る場合には、適宜な充電アダプタに受信部を載置することで、受信部に内蔵された二次電池が自動的に再充電される。
【考案の効果】
【００２９】
上記した通り、本考案では、骨伝導スピーカを使用するのでクリアで繊細な音楽を聴覚に伝えることができ音楽鑑賞に最適である。なお、この利点は、難聴や弱聴などの聴覚障害者であっても享受することができる。
【００３０】
また、本考案の受信部は、歯牙に装着されて保持されるので、如何に激しい運動中であっても、静止状態と場合と同様の効果を発揮する。また、非常に感度の高い歯牙を活用するので、骨伝導スピーカからの出力が微弱で足り、消費電力を抑制することができる。
【００３１】
また、運転中のように、両手が塞がると共に視覚と聴覚とを集中させるべき場合でも、本考案に音声変換機能を付加するだけで、必要な情報を聴くことができ、緊急時などに特に好適である。また、音声変換機能を付加した本考案は、聴覚に加えて、老眼など視覚に障害がある者にも極めて有効である。
【００３２】
また、本考案の送信部を、国際会議などの出席者に配信される同時通訳音を受けるよう構成すれば、聴覚にやや障害がある研究者であっても、同時通訳音を明瞭に認識することができる。
【図面の簡単な説明】
【００３３】
【図１】実施例に係る口腔内骨伝導装置の全体構成を図示したものである。
【図２】左右の受信部の内部構成を示す回路図である。
【図３】受信部の製法を説明する図面である。
【図４】実施例に係る受信部の装着状態を示す図面である。
【考案を実施するための形態】
【００３４】
以下、本考案の一実施例について具体的に説明するが、特に本考案を限定する趣旨ではない。
【００３５】
図１は、本実施例の概略構成を図示したものである。図示の通り、実施例の口腔内骨伝導装置は、搬送波を音声信号で変調した被変調波を送信する送信部１と、送信部１から送信される被変調波を受信して音声信号を復調して出力する受信部２とに区分されて構成されている。
【００３６】
送信部１は、適宜な開始操作の後は、使用者の胸ポケットなどに収容される。一方、受信部２は、使用者による装着操作によって歯牙に固定された後は、その固定状態が維持される。
【００３７】
本実施例の受信部２は、右側受信部２Ｒと左側受信部２Ｌとに分離されており、各々、受信チップＣＨが、プラスチック材で覆われて構成されている。なお、図１では、受信チップＣＨだけを図示しており、これを覆うプラスチック材の図示を省略している。
【００３８】
２つの受信チップＣＨは、各々、骨伝導スピーカＳＰと復調部ＲＶとを内蔵して構成されており、熱硬化性樹脂でモールドされて錠剤状に一体化されている。なお、この受信チップＣＨは、噛み砕くことができない程度の硬度と剛性とを有して、数ｍｍ程度の直径に形成されている。
【００３９】
送信部１は、汎用の携帯電話機にBluetooth機能を付加して構成されている。なお、汎用の携帯電話機であるので、他の電話機との通話を実現する電話機能、及び、他の電子機器とのメール送受信を実現するメール機能を合せて具備している。
【００４０】
Bluetooth機能は、専用のアプリケーションプログラム（以下、専用アプリという）を携帯電話機にインストールして実現されるが、この実施例では、特に、ＨＳＰ（Headset Profile）に一部準拠した簡易プロトコルで音楽ステレオ信号を送信している。すなわち、本来のＨＳＰ（Headset Profile）は、携帯電話機やパソコンなどで実現されるＡＧ部（Audio Gateway）と、ヘッドセット部（Headset）との双方向通信を前提に設計されているが、本実施例では、簡易化の観点から、ＡＧ部（送信部１）からＨＳ部（受信部２）への一方向通信で音楽ステレオ信号を送信している。
【００４１】
なお、再生すべき音楽は、ＭＰ３などの圧縮方式で圧縮された音楽ファイルが携帯電話機のメモリに記憶されている。そして、専用アプリは、メモリの音楽ファイルを読出し、これをデコードした上で、前記した簡易プロトコルにしたがって受信部に向けて送信する。なお、音楽ファイルは、必ずしも携帯電話機に記憶されている必要はなく、インターネットラジオ局などからストリーミング配信される音楽データを、携帯電話機のブラウザ（browser）機能を利用してリアルタイムに受信し、これを専用アプリが受信部２に向けて再送信しても良い。
【００４２】
何れにしても、受信部２への送信波の搬送周波数は、２．４５ＧＨｚ帯であり、通信方式としては、ガウス周波数偏移変調方式ＧＦＳＫを使用している。なお、ＧＦＳＫ（Gaussian Frequency Shift Keying）方式は、ベースバンド信号をガウスフィルタで帯域制限したＦＳＫ（Frequency-shift keying）方式であり、その波形を一般的に図示することは困難であるので、図２では便宜上、ＦＳＫ波形を示している。
【００４３】
図２は、左右の受信部２Ｒ，２Ｌを構成する受信チップＣＨの内部回路を例示したものである。図示の通り、受信チップＣＨは、ほぼ同一構成であるが、ステレオ信号を再生する復調部ＲＶだけが相違する。すなわち、２つの受信チップＣＨ（Ｌ），ＣＨ（Ｒ）は、各々、コイル及びコンデンサＣ１によるＬＣ共振回路と、ＬＣ共振回路の出力を受ける整流ダイオードＤ及び平滑コンデンサＣ３による整流回路と、結合コンデンサＣ２を経由してＬＣ共振回路の出力を受ける復調部ＲＶと、復調部ＲＶで再生された音声信号を受ける骨伝導スピーカＳＰと、で構成されている。
【００４４】
ＬＣ共振回路は、その共振周波数が搬送周波数帯（２．４５ＧＨｚ）に一致しており、送信部１から送信される送信波（ＧＦＳＫ波）だけを選択的に受信するよう構成されている。そして、受信されたＧＦＳＫ波は、結合コンデンサＣ２によって直流成分が除去された状態で、復調部ＲＶの入力端子ＩＮに供給される。
【００４５】
復調部ＲＶは、簡易なコンピュータ機能を有する電子回路であり、BluetoothのＨＳＰに一部準拠した簡易プロトコルにしたがって音楽ステレオ信号を受信して、一方の復調部（Ｒ）では右チャネル信号を再生し、他方の復調部（Ｌ）では左チャンネル信号を再生して各々の骨伝導スピーカＳＰ，ＳＰを駆動している。
【００４６】
図２に示す通り、ＬＣ共振回路の出力は、整流ダイオードＤ及び平滑コンデンサＣ３による整流回路にも供給されている。ここで、送信部１から送信される被変調波の振幅は一定であるので、平滑コンデンサＣ３の両端電圧は、被変調波を受ける限り、ほぼ一定値となる。そこで、本実施例では、被変調波を整流して得られる直流電圧を復調部ＲＶの電源電圧Ｖｃｃとして活用している。このように、本実施例の受信部２には電池が不要となり、小型化及び軽量化を実現することができる。また、本実施例では、口腔内に電池を保持することがないので、使用者が覚えるかもしれない違和感を解消することができる。また、受信部２は、送信部１から搬送波の送信が途絶えると、自動的に、その機能を停止するので、電源スイッチなどが不要となる利点もある。
【００４７】
ところで、先に説明した通り、図２の内部構成を有する受信チップＣＨは、熱硬化性樹脂でモールドされて錠剤状に一体化されている。そして、錠剤状の受信チップＣＨは、プラスチック材４に埋没させて受信部２が完成される。
【００４８】
プラスチック材４は、加温状態で粘性を有する一方、常温下では固化する特性を有するものであれば特に限定されないが、本実施例では、歯科医療で活用されるハイドロプラスチップが使用される。ハイドロプラスチックは、温水中では、適度な粘性を発揮するので、その中に受信チップCHを埋没させる。
【００４９】
図３（ａ）は、受信チップＣＨを埋没させたハイドロプラスチック４を、使用者の奥歯の歯列の形状に合せるための型取り治具３を例示したものである。図示の通り、型取り治具３は、人間の歯列を覆う程度の横幅を有して断面Ｕ字状に形成された金属フレイム３１と、金属フレイム３１に掛け渡された金属メッシュ３２と、金属メッシュ３２に回動自在に固定されたハンドル３０とで構成されている。なお、金属メッシュ３２は、加温状態のハイドロプラスチック４を保持する程度の網目ピッチに形成されている。
【００５０】
図３を参照しつつ、左側受信部２Ｌの型取り作業について説明する。先ず、ハイドロプラスチック４を温水中に浸漬して適度な粘度まで軟化させ、次に、軟化したハイドロプラスチック４を、型取り治具３に収容する（図３（ｂ）参照）。図示の通り、この収容状態では、ハイドロプラスチック４の適所には、左側受信部２Ｌを構成する受信チップＣＨ（Ｌ）が収容されている。なお、受信チップＣＨ（Ｌ）は、内蔵する骨伝導スピーカＳＰの放射面を、上方に向ける状態で収容される。
【００５１】
次に、ハイドロプラスチック４を自然冷却させて、ある程度まで固化させた状態で、型取り治具３のハンドル３０を保持して、使用者の左側奥歯にハイドロプラスチック４を押し当てる。そして、型取り治具３を軽く噛むことで、ハイドロプラスチック４を、使用者の歯列の形状に変形させ、その後で口腔内から取り出す。取り出されたハイドロプラスチック４は、型取り治具３に保有された状態で自然冷却されると共に乾燥される。そして、この冷却と乾燥によってハイドロプラスチック４が完全に固化して、左側受信部２Ｌが完成する。
【００５２】
以上、左側受信部２Ｌの製法を説明したが、右側受信部２Ｒについても同様の工程を経て完成させる。本実施例で使用するハイドロプラスチック４は、一旦、乾燥させると、人間の体温（４０度以下）程度では、湿潤状態の口腔内であっても十分な硬度を有する。したがって、完成した左右の受信部２を奥歯に装着することで、送信部１から送信される音楽を、歯槽骨を経由してクリアに楽しむことができる。しかも、奥歯に装着されているので、激しい運動時にもずれることがない。図４は、実施例に係る受信部２Ｒを装着した状態を示しており、２〜３列の歯牙を覆って、右側受信部２Ｒが装着されている。
【００５３】
ところで、ハイドロプラスチック４だけでは硬度が不足する場合には、補強部材として断面Ｕ字状に形成されたバイトリム５が使用される。作業方法は、図３（ｃ）に示す通りであり、バイトリム５を保有した型取り治具３に、ハイドロプラスチップ４が収容される。
【００５４】
以上の通り、本実施例の受信部２は、型取り治具３を使用すれば、個人的にも製造できる利点がある。そのため、受信チップＣＨ、ハイドロプラスチック４、及び、型取り治具をセットにして、送信部１にインストールすべき専用アプリと共に販売することができる。この場合、ハイドロプラスチック４を複数回の使用に耐える量とすることで、受信部２を適宜に作り直すこともできる。
【００５５】
以上、本考案の実施例について詳細に説明したが、具体的な記載内容は特に本考案を限定するものではない。
【００５６】
例えば、実施例では、右側受信部２Ｒと左側受信部２Ｌとを分離させたが、これを、ワイヤ状又はマウスピース状の連結部材で連結しても良い。
【００５７】
また、送信部１として、携帯電話機を例示したが、専用音楽プレイヤーであっても良いし、汎用パソコンと同等又は類似の機能を有する携帯情報端末であっても良い。
【００５８】
携帯電話機や携帯情報端末を使用する場合には、テキストファイルの文字情報から音声信号を再生する音声変換機能を付加することで、メーラーが受信した受信文を変換した音声信号を、受信部の骨伝導スピーカを経由して蝸牛に伝えることができる。
【００５９】
更にまた、本考案の送信部を、国際会議などの出席者に配信される同時通訳音を受けるよう構成するのも好適である。
【００６０】
また、実施例では、搬送波を整流して電源電圧を生成したが、受信部に二次電池を内蔵させても良いのは勿論である。なお、この場合には、二次電池は、非接触状態で充電可能に構成される。
【００６１】
その他、Bluetoothの使用など、実施例で説明した具体的な記載内容は、特に本考案を限定するものではなく、適宜に改変可能である。
【符号の説明】
【００６２】
１      送信部
２      受信部
４      プラスチック材
ＳＰ      骨伝導スピーカ
ＲＶ      復調部
ＣＨ      受信チップ
【図１】
0003166964.tif 000003
【図２】
0003166964.tif 000004
【図３】
0003166964.tif 000005
【図４】
0003166964.tif 000006